(57)【特許請求の範囲】
【請求項１】
洗剤タンクに貯溜された洗剤を水に混合した洗浄水によりボウル部の洗浄を行なうようにした便器装置において、
前記洗剤タンクが便器本体の内部に固設され、
前記便器本体の側面部に略矩形状の開口部が設けられ、
前記洗剤タンクに洗剤を供給するための供給口部が、前記開口部から突出し、これにより前記便器本体の側面部から突出するようにして設けられ、
前記便器本体側に開口した箱状のカバー体が前記供給口部を内部に収容した状態で、前記開口部を閉塞するようにして前記側面部に設けられ、
前記便器本体に対して前記カバー体を開閉自在に支持する回動手段が設けられ、
前記カバー体を回動させて開くと前記洗剤タンクの供給口部が露出されるものであり、
前記回動手段は、前記カバー体の開口下縁部に設けられると共に前記側面部の開口部の開口下縁と係脱自在に係止する鉤状突出片で構成され、
前記カバー体には当該カバー体を開放させる方向への回動範囲を規制する回動規制手段が設けられており、
このカバー体は、前記便器本体の側面部に着脱自在に取り付けられている
ことを特徴とする、便器装置。
【請求項２】
前記回動規制手段は、
前記カバー体の開口側縁部から回動方向に沿って突設された腕片と、
この腕片の突出先端部に当該腕片と交差する方向外方に向けて突設され、前記カバー体が開放した状態で前記側面部の開口部周縁の裏側に当接する回動規制片と、
を備え、
前記側面部の開口部周縁の裏側に、前記カバー体開放時の回動規制片の上端面に対して、近接対向するまたは当接する抜け止め突起が設けられている、請求項１記載の便器装置。
【請求項３】
前記側面部の開口部周縁に、前記鉤状突出片の上方への外れを規制する抜け止め片が設けられている、請求項１または請求項２に記載の便器装置。
【発明の詳細な説明】
【技術分野】
【０００１】
本発明は、洗剤タンクに貯溜された洗剤を水に混ぜた洗浄水によりボウル部の洗浄を行なうようにした便器装置に関するものである。
【背景技術】
【０００２】
従来から、洗剤タンクに貯溜された洗剤を 水に混合させて洗浄水を生成し、この洗浄水によりボウル部の洗浄を行なうようにした便器装置として、例えば特許文献１により示されたものが知られている。この特許文献１により示された便器装置は、便器装置に洗剤タンクが配設されており、洗浄水を使用するごとに洗剤タンク内の洗剤が所定量使用されて洗浄水が生成されるようになっている。洗剤タンク内の洗剤は便器を使用するたびに減少してゆくため、洗剤を定期的に補充する必要がある。
【０００３】
この便器装置について詳しく説明すると、便器装置には後部側面部に洗剤タンクを収納するためのタンク収納空間が凹設されており、このタンク収納空間はカバー体が装着されて閉塞される。タンク収納空間内のカバー体に対向する側面には、洗剤タンクの上部に便器本体側に向けて直線状に突設された接続継手が挿通して接続される接続孔が穿設されている。
【０００４】
カバー体は、下縁部に軸が設けられており、該軸を中心としてタンク収納空間の開口下縁部に回動自在に取り付けられている。このカバー体には洗剤タンクが取り外し可能に取り付けられ、洗剤タンクが装着された状態のカバー体を便器本体側に回動させることで、洗剤タンクの接続継手がタンク収納空間の接続孔に挿入された状態で、タンク収納空間内に洗剤タンクが収納されるようになっている。
【先行技術文献】
【特許文献】
【０００５】
【特許文献１】特開２００９−１０８５０７号公報
【発明の概要】
【発明が解決しようとする課題】
【０００６】
ところで、このような便器装置において、洗剤タンクに洗剤を補充する場合には、タンク収納空間を閉塞するカバー体を洗剤タンクと共に側方に向けて回動させることで洗剤タンクを露出させ、さらに、洗剤タンクをカバー体から取り外して手元に位置させたうえで洗剤を補充するようになっている。そしてその後、再び、洗剤が充填された洗剤タンクをカバー体に装着したうえで、タンク収納空間に納める必要がある。この洗剤補充時に要する洗剤タンクの取り外し・取り付け作業は面倒なものであった。
【０００７】
しかも、上記特許文献１のものは、カバー体を回動させてカバー体と共に洗剤タンクの取り付け・取り外しをするに当たって、洗剤タンクから便器装置側に向けて突出した接続継手が、カバー体の回動軸を中心とした円弧に沿うように弧状となったものではなく、直線状となったものであるため、タンク収納空間に対する洗剤タンクの取り付け・取り外しを行なうたびに、タンク収納空間の接続孔の内周面に接続継手が擦られながら出入することになる。このため、洗剤タンクの取り付け・取り外しを繰り返すと、接続孔の内周縁に設けられた水密材又は接続継手の先端が劣化してしまうという問題が生じることもあった。
【０００８】
さらに、上記特許文献１のものは、洗剤タンクがカバー体に装着されて重量がカバー体のみのものよりも大きくなっているため、便器装置側方に向けてカバー体を開放させると、勢いよくカバー体が回動してしまう場合があった。一般的に、便器側面部と、この便器側面部に対向するトイレルーム壁面との間の隙間は狭く設計されている場合がほとんどである。この場合には、勢いよく回動したカバー体が、トイレルーム壁面に衝突してしまい、破損・損傷のおそれがあるという問題があった。
【０００９】
その上、上記特許文献１のものは、カバー体の下縁部に軸が設けられており、また上記のように便器側面部とトイレルーム壁面との間のスペースは狭くなっている場合がほとんどであるため、便器装置からカバー体を取り外すための作業スペースがない上に、取り外しの手間がかかり、非常に困難な作業が必要となる。例えば、洗剤タンクから洗剤が漏れてカバー体の底面に洗剤が溜まったような場合には、カバー体を取り外してカバー体ごと洗浄するというようなことが、容易にできないという問題があった。
【００１０】
本発明は、上記事情に鑑みてなされたものであり、その目的とするところは、カバー体にて洗剤タンクを覆ったものにおいても、洗剤を補充するに当たって、面倒な作業を低減させ、洗剤タンクとの接続部における劣化をしにくくし、また、カバー体の破損・損傷を防止すると共に、カバー体が汚れた場合であっても洗浄しやすいものとさせる便器装置を提供することにある。
【課題を解決するための手段】
【００１１】
上記課題を解決するために本発明の便器装置は以下の構成とする。
【００１２】
本発明は、洗剤タンクに貯溜された洗剤を水に混合した洗浄水によりボウル部の洗浄を行なうようにした便器装置において、前記洗剤タンクが便器本体の内部に固設され、前記便器本体の側面部に略矩形状の開口部が設けられ、前記洗剤タンクに洗剤を供給するための供給口部が、前記開口部から突出し、これにより前記便器本体の側面部から突出するようにして設けられ、前記便器本体側に開口した箱状のカバー体が前記供給口部を内部に収容した状態で、前記開口部を閉塞するようにして前記側面部に設けられ、前記便器本体に対して前記カバー体を開閉自在に支持する回動手段が設けられ、前記カバー体を回動させて開くと前記洗剤タンクの供給口部が露出されるものであり、前記回動手段は、前記カバー体の開口下縁部に設けられると共に前記側面部の開口部の開口下縁と係脱自在に係止する鉤状突出片で構成され、前記カバー体には当該カバー体を開放させる方向への回動範囲を規制する回動規制手段が設けられており、このカバー体は、前記便器本体の側面部に着脱自在に取り付けられている。
【００１４】
また本発明の便器装置は、前記回動規制手段が、前記カバー体の開口側縁部から回動方向に沿って突設された腕片と、この腕片の突出先端部に当該腕片と交差する方向外方に向けて突設され、前記カバー体が開放した状態で前記側面部の開口部周縁の裏側に当接する回動規制片とを備え、前記側面部の開口部周縁の裏側に、前記カバー体開放時の回動規制片の上端面に対して、近接対向するまたは当接する抜け止め突起が設けられていることが好ましい。
【００１５】
また本発明の便器装置は、前記側面部の開口部周縁に、前記鉤状突出片の上方への外れを規制する抜け止め片が設けられていることが好ましい。
【発明の効果】
【００１６】
本発明によれば、カバー体にて洗剤タンクを覆ったものにおいても、洗剤を補充するに当たって、面倒な作業を低減させ、洗剤タンクとの接続部における劣化をしにくくし、また、カバー体の破損・損傷を防止すると共に、カバー体が汚れた場合であっても洗浄しやすいものとすることができる。
【図面の簡単な説明】
【００１７】
【図１】本発明の一実施形態の全体斜視図である。
【図２】同上のカバー体のみの斜視図である。
【図３】カバー体の変形例の斜視図である。
【図４】カバー体の変形例の開閉状態を説明するための図であり（ａ）は閉じた状態の断面図であり（ｂ）は開いた状態の要部断面図である。
【図５】本実施形態の分解斜視図である。
【図６】同上の概略側断面図である。
【図７】同上の微細気泡発生手段を説明するための図であり（ａ）は要部斜視図であり（ｂ）は側断面図である。
【図８】同上のタンクホルダー周辺を示す斜視図である。
【図９】同上のカバー体を取り外した状態の要部斜視図である。
【図１０】同上の洗剤タンクの平面図である。
【図１１】同上のカバー体を取り外した状態の要部側断面図である。
【図１２】同上のカバー体の取り付けられた状態を便器本体の内部側から見た分解斜視図である。
【発明を実施するための形態】
【００１８】
以下、本発明の実施形態について添付図面に基づいて説明する。
【００１９】
本発明の実施形態の便器装置を図１等に示す。本実施形態の便器装置は、洗剤タンク８１に貯溜された洗剤を水と混合して生成した洗浄水をボウル部６に流すようにしたものである。なお、以下の説明で用いる方向は、用を足す際に便座に着座した人から見た方向を基準とし、着座者の正面側を前方、背面側を後方と定義する。
【００２０】
本実施形態の便器装置は、図１及び図５に示されるように、便器装置の主体を形成すると共に前部にボウル部６を有する便器本体１と、便器本体１に内装された内装ユニット２とを備えている。便器本体１には、側面部１１から突出する洗剤タンク８１の供給口部８１２を内部に収容するカバー体５９が取り付けられている。内装ユニット２は、洗浄水吐出装置４や、局部洗浄装置、脱臭装置、制御回路等の一群の内装機器を一つにまとめて機器ケース２１内に設けて構成されている。
【００２１】
便器本体１は、金属製の支持フレーム１４と、この支持フレーム１４の外面に取り付けられた外郭体５と、小便や大便を直接受ける部分となり上方に開放する椀状となったボウル部６と、ボウル部６の後端部に接続されたトラップ部７とを備えている。
【００２２】
外郭体５は、前部を構成する前パーツ５１と、後部を構成する後パーツ５２とで構成されている。前パーツ５１は、図５のように平面視で後方に開口した略Ｕ字状のスカート部５３と、ボウル部６上に位置するリム部５４とで構成されており、ボウル部６、及びリム部５４、スカート部５３が溶着又は接着により一体化されている。後パーツ５２は、上カバー５５と、後カバー５６と、両側の上下に配置されるサイドカバー５７とで構成されている。これら上カバー５５、後カバー５６、及び各サイドカバー５７は便器に対して着脱自在となっている。本実施形態においてはこのサイドカバー５７が便器本体１の側面部１１を構成している。
【００２３】
詳しく説明すると、上カバー５５は、機器ケース２１に対してビスにより着脱自在に取り付けられ、前端部には便座１２や便蓋１３が回動自在に取り付けられている。後カバー５６は、上カバー５５に着脱自在に係合され、さらに支持フレーム１４にビスにより着脱自在に取り付けられている。両側の上のサイドカバー５７は後カバー５６と前パーツ５１とに着脱自在に係合されている。両側の下のサイドカバー５７は、後カバー５６及び下フレーム材に磁石により着脱自在に取り付けられると共に上のサイドカバー５７に着脱自在に係合されている。右側のサイドカバー５７には、洗剤タンク８１の供給口部８１２を露出させるための略矩形状の開口部５８が設けられている。
【００２４】
この開口部５８には、上述のようにカバー体５９が取り付けられている。
【００２５】
カバー体５９は、便器本体１側に開口した断面略コ字状をした箱体で構成されており、図１に示されるように、後述する洗剤タンク８１の突出部８１１及び供給口部８１２が内部に収容された状態で便器本体１の側面部１１に取り付けられる。カバー体５９は、図２に示されるように、その開口下縁部５９０に設けられた回動手段５９１と、カバー体５９を開放させる方向への回動範囲を規制する回動規制手段５９２と、カバー体５９の閉塞状態を保持させる上係止部５９３とを備えている。
【００２６】
この回動手段５９１は、図２に示されるように、便器本体１の側面部１１の開口部５８の開口下縁と係脱自在に係止する鉤状突出片５９４が、カバー体５９の開口下縁に沿う方向に並ぶように複数箇所（本実施形態では２箇所）に設けられることで構成されている。この鉤状突出片５９４は、便器本体１側に突出する横片５９５と、横片５９５の突出先端から略鉛直下方に連設される縦片５９６とで構成されており、横片５９５と縦片５９６との下面側が滑らかに連続している。つまり、この鉤状突出片５９４を便器本体１の側面部１１の開口部５８の開口下縁上に載置するだけで、便器本体１の開口部５８の下縁と鉤状突出片５９４との接点部分が支点となってカバー体５９が上下（左右）方向に回動可能となる。
【００２７】
回動規制手段５９２は、カバー体５９の対向する開口側縁部のうち、前方側の側縁部に設けられており、カバー体５９の回動範囲を所定の範囲内に規制する。この回動規制手段５９２は、カバー体５９の開口側縁部から回動方向に沿って突設された腕片５９７と、該腕片５９７の突出先端部に設けられた回動規制片５９８とから構成されている。この回動規制片５９８は、腕片５９７と交差する方向の外方側に向けて突設されており、詳しくは、腕片５９７の先端部を略直交するように前方側に屈曲して成形される。回動規制片５９８は、カバー体５９が開放側に回動され所定の位置まで回動されたところで、サイドカバー５７の開口部５８周縁の裏面（側面部１１の裏側）に当接する。腕片５９７は、回動規制片５９８がサイドカバー５７の裏面に当接した状態で、洗剤タンク８１の供給口部８１２がカバー体５９と便器本体１のサイドカバー５７との間から露出するような長さで形成されている。
【００２８】
このようにカバー体５９は、便器本体１の側面部１１に対し容易に着脱できるように取り付けられているが、鉤状突出片５９４にて開口部５８の下縁に引っ掛けて取り付けただけであれば、不意にその係止が解除されてしまうことも考えられる。そのため本実施形態の便器装置は、不意にこのカバー体５９が外れてしまわないための工夫がなされている。本実施形態の便器装置は、図１２に示されるように、回動規制片５９８が上方へずれるのを防ぐ抜け止め突起５８２がサイドカバー５７の裏面に設けられており、また、鉤状突出片５９４が上方へ外れるのを規制する抜け止め片５８３が開口部５８下縁に設けられている。抜け止め突起５８２は、カバー体５９が開放した状態において、回動規制片５０８の上端面に近接対向または当接するようにして設けられている。抜け止め片５８３は、開口部５８下縁から上方に向けて突設された逆Ｌ字形状をしており、一方の鉤状突出片５９４の上方にその一部が当接又は近接対向するようになっている。カバー体５９は、その回動中には抜け止め片５８３によって上方へのずれが規制され、開放時（カバー体５９が開放しきった状態）には抜け止め突起５８２と抜け止め片５８３とによって上方へのずれが規制される。
【００２９】
一方、カバー体５９を便器本体１の側面部１１から取り外すときは、カバー体５９を、カバー体５９が開放しきった状態から閉じる方向にやや回動させ、抜け止め突起５８２に対する回動規制片５９８の規制を解除したうえで、前後に傾けながら持ち上げる。すると、鉤状突出片５９４と抜け止め片５８３との間にあるあそびの存在と、抜け止め片５８３の微小な弾性変形とで、ある程度の力を加えるだけでカバー体５９を取り外すことができる。
【００３０】
上係止部５９３は、カバー体５９の開口縁の上端部に便器本体１側に向けて突設されており、便器本体１の側面部１１の開口部５８の上縁の対応する部分に設けられた被係止部５８１（図１１参照）に係脱自在に係止される。なお、図２中の符号５９９は、カバー体５９の上端部に設けられた手掛かり部となっており、カバー体５９を便器本体１に対して回動させるに当たっての手掛かりとなると共に、カバー体５９が閉じた状態で手掛かり部５９９を下方に押圧すると、上係止部５９３と被係止部５８１との係止状態を容易に解除させる押圧部にもなっている。
【００３１】
ここで、本実施形態のカバー体５９は、以下のような変形例であってもよい。
【００３２】
本変形例のカバー体５９は、図３及び図４に示されるように、カバー体５９の開口下縁部５９０に鉤状突出片５９４からなる回動手段５９１が設けられており、カバー体５９の下面における鉤状突出片５９４に対向する部位に回動規制手段５９２が下方に向けて突設されている。この鉤状突出片５９４は、カバー体５９の開口下縁部５９０の略中央部分に設けられており、図４に示されるように、カバー体５９の開口下縁部５９０の略中央部分から便器本体１側に向けて突出しカバー体５９の回動時の支点となる半円状の円弧部分５９４ａと、カバー体５９が開放した時に便器本体１の開口部５８の内面の周縁の一部に当接する第１当接部５９４ｂと、カバー体５９が閉塞した時に便器本体１の開口部５８の内面の周縁の一部に当接する第２当接部５９４ｃとを有しており、これらが連続して形成されている。また、回動規制手段５９２は、突設された一対の突起部５９２ａが前後方向（開口下縁部５９０に沿う方向）に離間することで構成されている。
【００３３】
カバー体５９が便器本体１の開口部５８を閉じた状態では、図４（ａ）に示されるように、回動規制手段５９２の突起部５９２ａの回動手段５９１側の縁部と、回動手段５９１の第２当接部５９４ｃとで便器本体１のサイドカバー５７を挟持すると共に、上係止部５９３が被係止部５８１に係止され、カバー体５９が閉塞状態で保持される。
【００３４】
また、カバー体５９を開放させると、図４（ｂ）に示されるように、回動規制手段５９２の頂部と、回動手段５９１の第１当接部５９４ｂとで便器本体１のサイドカバー５７を挟持し、カバー体５９が開放状態に保持される。なお、このときのカバー体５９の開放角度は、回動規制手段５９２の突起部５９２ａの突出高さと第１当接部５９４ｂの角度とで任意に変更可能である。つまり、図１のように洗剤タンク８１の供給口部８１２を露出できる最小限の開放角度にするようにしてもよいし、カバー体５９を大きく開放させるように構成してもよい。
【００３５】
トラップ部７は、図５に示されるように、ボウル部６の後部に配設されている。本実施形態のトラップ部７は、フレームに固設されたトラップケース７１内に配設されると共に、一端部がボウル部６の後端部の排水部６１に接続されたフレキシブルなトラップ筒７２により構成されている。このトラップ部７は、いわゆるターントラップ方式のものであり、便器本体１に設けられた操作部（図示せず）を操作することで、図示しないモータを駆動させてトラップ筒７２を回動させる。このとき、トラップ筒７２は、ボウル部６に接続された側とは反対側の開口部を上向きとしたトラップ構造をなす状態と、前記開口部を下向きとし、トラップ構造を解除して排水がなされる状態とに選択可能に切り替えられる。トラップケース７１は床に設けられた排水孔に連通し、トラップ筒７２のトラップ構造を解除することで、ボウル部６内の溜め水がトラップ筒７２とトラップケース７１を介して排水孔から外部に排出される。
【００３６】
トラップ部７は、通常時には、図６に示されるように、トラップ構造とされることで、ボウル部６内の下部及びトラップ筒７２内部に洗浄水が溜まるような構造となっている。この状態で大便や小便が行なわれ、その後洗浄される。ボウル部６の洗浄に当たっては、ボウル部６内に洗浄水を流すと共にトラップ筒７２を回動させ、トラップ状態を解除する。これにより、汚物と共に洗浄水をトラップケース７１の排水孔を介して排水することができる。
【００３７】
便器本体１に内装された洗浄水吐出装置４は、ボウル部６に洗浄水を吐出するために設けられている。この洗浄水吐出装置４には洗剤供給手段８が設けられており、この洗剤供給手段８により上水道からの水に洗剤を混合させ、洗浄水を生成する。
【００３８】
洗浄水吐出装置４は、図６に示されるように、上水道からボウル部６上の空間に連通する洗浄水流路４１を有しており、この洗浄水流路４１には電磁弁からなる洗浄水開閉弁４２が設けられている。この洗浄水開閉弁４２を開放させると、洗浄水流路４１の下流側の端部からボウル部６に洗浄水が吐出されるようになっており、他方、洗浄水開閉弁４２を閉塞させると、洗浄水流路４１の端部からの吐水が停止されるようになっている。
【００３９】
洗浄水流路４１の下流側の端部の洗浄水吐出口４３は、ボウル部６の後部の一側端部からボウル部６の内側面の上部に沿って前方に臨んで設けられており、ボウル部６内に吐出した洗浄水を旋回流とさせる。
【００４０】
洗浄水吐出装置４には、洗浄水に空気を混入すると共にこの空気を細分化して微細気泡を生成し、この微細気泡を洗浄水に含ませる図７のような微細気泡発生手段４４が設けられている。微細気泡が混入された洗浄水は、嵩比重の低下による節水効果、洗浄水がボウル部６内面に衝突する際の摩擦低減による消音化や水跳ね防止効果があり、その上、旋回流となって微細気泡がボウル部６内壁に衝突して破裂する際に発生する衝撃波や気泡界面が有する吸着特性などによってボウル部６内壁に付着する汚物を強力に剥がして吸着できる気泡洗浄効果がある。
【００４１】
微細気泡発生手段４４は、図７に示されるように、洗浄水流路４１に空気混入部４５が設けられると共に、この下流にベンチュリー管状の圧力急変部４８が設けられて成る管部により構成されている。空気混入部４５は、洗浄水流路４１の径を絞ったノズル部４６の下流側の周辺に逆止弁を有する空気供給管４７が接続されることで構成されており、ノズル部４６から洗浄水が吐出されることで生じる負圧によって、空気を混入して洗浄水内に空気供給管４７からの空気が混入される。
【００４２】
圧力急変部４８は、上流側から順に、径が徐々に絞られる縮径部４８１、絞られた径の咽喉部４８２、径が徐々に広がる拡径部４８３、と有しており、これらが連設された構造となっている。空気混入部４５から混入した空気は、洗浄水が圧力急変部４８を流れる際に、まず、縮径部４８１及び咽喉部４８２での内圧低下により膨張され、続けて、拡径部４８３での内圧上昇によりせん断力や衝撃波が作用して砕破されて微細化される。なお、微細気泡発生手段４４としては、混入空気を洗浄水内に溶解させた後に析出させるタイプを用いることも可能である。
【００４３】
洗剤供給手段８は、図６に示されるように、洗剤タンク８１と、洗剤タンク８１と洗浄水流路４１に設けられた洗剤混合部８５とを接続させる洗剤供給路８２と、洗剤供給路８２に設けられた洗剤用ポンプ８３と、洗剤用開閉弁８４とを備えている。
【００４４】
洗剤タンク８１は、図８のようなトラップケース７１の一側面側（右側）に固設されたタンクホルダー９に着脱自在に保持されており、内部に洗剤が収容される。なお、洗剤タンク８１の詳細については後述する。
【００４５】
洗剤供給路８２は、図６に示されるように、往路部８２１の始端部と復路部８２２の終端部とが洗剤タンク８１に接続される循環経路部８２０と、循環経路部８２０の途中から分岐して循環水流路の洗剤混合部８５に至る供給経路部８２３とを有している。洗剤用ポンプ８３は循環経路部８２０（本実施形態は、循環経路部８２０の往路部８２１）に設けられている。洗剤用開閉弁８４は供給経路部８２３の下流側に設けられている。
【００４６】
洗剤用ポンプ８３を駆動すると、洗剤タンク８１内に貯溜された液体洗剤が循環経路部８２０を循環する。これにより、洗剤が洗剤供給路８２内で固化等して詰まってしまうのが防止される。
【００４７】
洗剤混合部８５は、洗浄水流路４１の流路径を絞って流れる洗浄水に負圧を発生させる部位となっており、本実施形態では前記咽喉部４８２が洗剤混合部８５となっている。
【００４８】
洗剤用開閉弁８４は、洗剤混合部８５で洗浄水の負圧がかかり、且つ洗剤用ポンプ８３が駆動してポンプ圧がかかった場合に開くようになっており、一定量の洗剤を洗浄水内に混入させる。
【００４９】
洗剤が混入された気泡入り洗浄水は、洗浄水流路４１の下流側端部の洗浄水吐出口４３からボウル部６内に吐出され、旋回流となってボウル部６内の内面に隈なく行き渡り、混入された洗剤により洗剤洗浄効果をボウル部６の内面に隈なく発揮させて効果的な洗浄を可能としている。また、洗浄水には洗剤（界面活性剤）が混入され、水の表面張力を低下させているため、微細気泡発生手段４４により発生する微細気泡の径をｍｍオーダからμｍオーダにまで小さくできる。ここで、μｍオーダの微細気泡はｍｍオーダの微細気泡に比べて、格段に割れにくい性質を有している。このため、ボウル部６の洗浄後にボウル部６内にこの洗浄水が溜め水として残るが、このとき微細気泡を長期に亙って残留させることができて、溜め水の喫水線付近の汚れ付着防止効果を図ることができるようになっている。
【００５０】
以下、洗剤タンク８１及びこの周辺の構成につき詳述する。
【００５１】
洗剤供給路８２における往路部８２１の始端部及び往路部８２１の終端部は、それぞれ図８に示されるように、筒状の連結部３１，３２で構成されている。各連結部３１，３２はトラップケース７１に取り付けられる接続具３に前後に並べて設けられている。
【００５２】
洗剤タンク８１を保持するタンクホルダー９は、底部９１と、底部９１のトラップケース７１側の側端部に立設された側壁部９２と、側壁部９２の前後両端に突設され洗剤タンク８１を両側で保持する被係合部９３とを備えており、側壁部９２をビスによりトラップケース７１の外側面に固着し、連結部３１，３２の下方に配設される。この底部９１と側壁部９２と両被係合部９３とで、上方及び便器外側方に向けて開口した保持部が構成されている。この保持部によって洗剤タンク８１が着脱自在に保持される。
【００５３】
洗剤タンク８１は、内部に貯溜された液状の洗剤を外部から視認できるように透明又は半透明な材料で形成されている。洗剤タンク８１は、図１０に示されるように、平面視で略Ｌ字状に形成され、図９に示されるように、対応する下のサイドカバー５７よりも便器内部に配置される内装部分８１０と、内装部分８１０の前部から便器外側方に向けて突出する突出部８１１とで構成されている。
【００５４】
突出部８１１の上面部には洗剤を供給するための供給口部８１２が形成されている。この供給口部８１２は、洗剤タンク８１が便器本体１に取り付けられた状態では、図１及び図９，１０に示されるように、その供給口部８１２の軸線（中心軸線）８１９が、上側ほど便器から外側方に離れる方向に傾斜すると共に、上方ほど便器装置の手前側に向かうように傾斜している。
【００５５】
この供給口部８１２の先端には、通常は、図９に示されるように、着脱自在の蓋８１６が設けられている。内装部分８１０の上面部の前部には、管ｃ（図１１参照）を介して洗剤タンク８１内に連通する洗剤出口部８１７及び洗剤入口部８１８が設けられている。洗剤出口部８１７及び洗剤入口部８１８は便器内側方（左方）に向けて突出する接続継手からなり、対応する連結部に対して抜き差し自在に挿入される。
【００５６】
このような洗剤タンク８１を、トラップケース７１に取り付けられたタンクホルダー９にて保持するには、対応する下のサイドカバー５７を取り外した状態で、洗剤タンク８１を底部９１上に載置して側壁部９２の外側面に沿わせると共に、各被係合部９３を対応する洗剤タンク８１の前後面に形成された係合部に着脱自在に係合する。それと同時に、洗剤出口部８１７及び洗剤入口部８１８を対応する連結部３１，３２に右側から挿入する。なお、洗剤出口部８１７及び洗剤入口部８１８の夫々は、Ｏリングを介して連結部３１，３２に挿入され、連結部３１，３２に対して水密的に連結される。また、前述の各被係合部９３を係合部（図示せず）に係合したときには、作業者に対して係合時の適度な感触が付与され、これにより各被係合部９３を対応する係合部に確実に係合できるようになっている。
【００５７】
上記のように洗剤タンク８１を循環経路部８２０に連結することで、洗剤タンク８１内の洗剤を洗剤出口部８１７及び連結部３１，３２を介して循環経路部８２０に供給することが可能となり、また循環経路部８２０の洗剤を連結部３１，３２及び洗剤入口部８１８を介して洗剤タンク８１内に戻すことが可能となる。この結果、前述のように洗剤タンク８１内の洗剤を循環経路部８２０で循環させることができる。
【００５８】
このように構成された便器装置において、便器本体１の側面部１１に設けられたカバー体５９を回動させて開くと、洗剤タンク８１の供給口部８１２が便器本体１の側面部１１から突出した状態で露出することになる。つまり、カバー体５９を回動させて開くだけで、洗剤タンク８１を取り外さなくても、供給口部８１２から洗剤タンク８１に洗剤を補給可能な状態とさせることができる。また、洗剤を補充するに当たってカバー体５９を回動させても、洗剤タンク８１は便器本体１に固設されているため、洗剤タンク８１と便器本体１との接続された部分は接続状態が維持される。つまり、便器本体１と洗剤タンク８１との接続部分での部品劣化の問題が発生しにくくなる。
【００５９】
また、カバー体５９は、カバー体５９に設けられた回動手段５９１が鉤状突出片５９４で構成されており、軸を有しない構造であるため、回動できるにもかかわらず容易に取り外すことができる。これにより、洗剤補充時に洗剤が漏れてカバー体５９が汚れた場合であっても、カバー体５９を簡単に取り外すことができて洗浄しやすく使い勝手がよい。また、軸を有しない構造であるため、従来必要であった軸によるコストを低減させることができる。
【００６０】
また、カバー体５９を開放させる方向への回動範囲を規制する回動規制手段５９２が設けられていることにより、便器本体１側面部１１と、この便器本体１側面部１１に対向するトイレルーム壁面との間の隙間が狭く設計されていた場合であっても、トイレルーム壁面にカバー体５９が干渉するのを回避することも可能である。この結果、カバー体５９の破損・損傷を防止することができる。
【００６１】
その上、回動手段５９１や回動規制手段５９２はカバー体５９に設けられているため、便器本体１側には開口部５８が設けられるだけでよい。つまり、本実施形態のカバー体５９を用いれば、既存の便器装置に対しても後付けで装着することができる。
【００６２】
また、本実施形態の便器装置は、便器本体１の側面部１１に抜け止め突起５８２が設けられているため、カバー体５９を開放させた状態で洗剤タンク８１に洗剤を補給する場合等に、不意にカバー体５９が外れてしまうのを防止できる。
【００６３】
また、本実施形態の便器装置は、便器本体１の側面部１１に抜け止め片５８３が設けられているため、カバー体５９を回動させているときにおいても、カバー体５９が不意に外れてしまうのを防止することができる。
【００６４】
なお、本実施形態の便器装置の吐出装置は、上述のようにロータンクレス方式となっているが、本発明はこのものに限定されず、ロータンクの貯溜水が開閉弁を介してボウル部６に供給されるようにした構成のものであってもよい。また、タンクレス方式の場合には、圧送ポンプにより洗浄水が供給されるようにしたものであってもよい。
【００６５】
また、本実施形態の供給口部８１２は円筒により構成されていたが、本発明の供給口部は、例えば角筒であってもよく、特に限定されない。
【００６６】
また、本実施形態の供給口部８１２は上側ほど便器装置から外側方に離れる方向に傾斜し且つ上方ほど便器装置の手前側に向かうように傾斜していたが、本発明の供給口部は、便器装置の側面部から突出していればよく、特に限定されるものではない。
【符号の説明】
【００６７】
１    便器本体
１１    側面部
１３    便蓋
５１    前パーツ
５３    スカート部
５５    上カバー
５７    サイドカバー
５８    開口部
５９    カバー体
５９０  開口下縁部
５９１  回動手段
５９２  回動規制手段
５９３  上係止部
５９７  腕片
５９８  回動規制片
５９９  手掛かり部
６      ボウル部
８１１  突出部
８１２  供給口部
８１６  蓋
【図１】
0005597007.tif 000002
【図２】
0005597007.tif 000003
【図３】
0005597007.tif 000004
【図４】
0005597007.tif 000005
【図５】
0005597007.tif 000006
【図６】
0005597007.tif 000007
【図７】
0005597007.tif 000008
【図８】
0005597007.tif 000009
【図９】
0005597007.tif 000010
【図１０】
0005597007.tif 000011
【図１１】
0005597007.tif 000012
【図１２】
0005597007.tif 000013